(57)【特許請求の範囲】
【請求項１】
送信側から中継装置を介して送られる同期信号に基づいて受信側の送信タイミングを同期させる中継システムにおいて、
前記受信側は、
前記同期信号に基づく送信タイミングと、当該受信側の内部クロックに基づく送信タイミングとのずれ時間を計算し、当該ずれ時間に基づく補正を行ったスレーブ送信タイミング信号を送出すると共に、前記ずれ時間が前回と比べて変化した場合は、前回時刻と現在時刻との時間差を時間データとして出力する同期信号計算部と、
前記同期信号計算部から送出されたスレーブ送信タイミング信号に基づいて、前記中継装置に対して当該受信側からのデータと前記時間データとを送信する送信部とを備え、
前記中継装置は、
前記受信側への同期信号の前回送信時刻からの経過時間が前記時間データ以上になった場合に同期信号の送信命令を出力する経過時間監視部と、
最新の同期信号を保持し、前記経過時間監視部から送信命令を受けた場合は、前記最新の同期信号を出力する同期信号保持部と、
前記同期信号保持部から同期信号が出力された場合は、当該同期信号を前記受信側に送出するデータ送信部とを備えたことを特徴とする中継システム。
【請求項２】
同期信号計算部は、スレーブ送信タイミング信号の補正を、スレーブ送信タイミング信号の値を反転させることで行うことを特徴とする請求項１記載の中継システム。
【請求項３】
受信側は、同期信号を受信しない場合、前回受信した同期信号に基づくずれ時間と、前回補正してからのスレーブ送信タイミング信号のカウント値とに基づいて、その反転タイミングを計算することを特徴とする請求項２記載の中継システム。
【請求項４】
中継装置は、受信側との入出力部に周波数フィルタを有すると共に、当該受信側は、前記中継装置との入出力部に前記周波数フィルタを有し、前記中継装置と前記受信側とのデータと同期信号の送受信を、前記周波数フィルタを介して行うことを特徴とする請求項１から請求項３のうちのいずれか１項記載の中継システム。
【請求項５】
周波数フィルタは、ハイパスフィルタとローパスフィルタで構成され、高周波の信号と低周波の電力を分離して中継装置と受信側間で送受信を行うことを特徴とする請求項４記載の中継システム。
【請求項６】
送信側から中継装置を介して送られる同期信号に基づいて送信タイミングを同期させる受信側装置において、
前記同期信号に基づく送信タイミングと、内部クロックに基づく送信タイミングとのずれ時間を計算し、当該ずれ時間に基づく補正を行ったスレーブ送信タイミング信号を送出すると共に、前記ずれ時間が前回と比べて変化した場合は、前回時刻と現在時刻との時間差を時間データとして出力する同期信号計算部と、
前記同期信号計算部から送出されたスレーブ送信タイミング信号に基づいて、前記中継装置に対してデータと前記時間データとを送信する送信部と、
前記同期信号の前回送信時刻からの経過時間が前記時間データ以上になった場合に前記中継装置が送出する最新の前記同期信号を受信する受信部とを備えたことを特徴とする受信側装置。
【請求項７】
送信側から受信側へ送られる同期信号を中継する中継装置において、
前記同期信号に基づく送信タイミングと前記受信側の内部クロックに基づく送信タイミングとのずれ時間に基づく補正を行ったスレーブ送信タイミング信号に基づいて前記受信側が送信するデータと、前記ずれ時間が前回と比べて変化した場合の前回時刻と現在時刻との時間差であって前記スレーブ送信タイミング信号に基づいて前記受信側が送信する時間データとを受信する受信データ解析部と、
前記受信側への同期信号の前回送信時刻からの経過時間が前記時間データ以上になった場合に同期信号の送信命令を出力する経過時間監視部と、
最新の同期信号を保持し、前記経過時間監視部から送信命令を受けた場合は、前記最新の同期信号を出力する同期信号保持部と、
前記同期信号保持部から同期信号が出力された場合は、当該同期信号を前記受信側に送出するデータ送信部とを備えたことを特徴とする中継装置。
【発明の詳細な説明】
【技術分野】
【０００１】
本発明は、送信側から中継装置を介して送られる同期信号に基づいて受信側の送信タイミングを同期させる中継システムに関するものである。
【背景技術】
【０００２】
信号の送受信が同じ伝送路上で行われる半二重の通信を行う場合、送受信のタイミングを決める信号である同期信号が必要である。マスタ／中継装置／スレーブ間で同期が取れていないと、送受信のタイミングがずれてしまい、複数の受信側（スレーブ）が同時にデータを送信するなどして、データの衝突が発生してしまう。そのため、マスタ／中継装置／スレーブ間で同期を取るため、例えば、特許文献１〜３に示すように、同期を取る方法が提案されている。
【０００３】
特許文献１では、ビット同期保持のためにＶＣＯ（電圧制御発信器）を利用して再生クロックを発生させるものが開示されている。このような装置では、同期を保持するため、同期信号と再生クロックの誤差を示す誤差信号を制御電圧とし、その電圧により内蔵するＶＣＯの発信周波数を制御して再生クロックを発生し、ノードを同期させる。
【０００４】
特許文献２では、あるノードに対して送信データがない場合、同期信号のみを送信し、同期を保持させるものが開示されている。このような装置では、ノード間で同期を保持するため、データがある通信を行う際に同期信号を送る送信間隔のＮ倍（Ｎは自然数）で、送信側から受信側に同期信号を送信する。
【０００５】
特許文献３では、再同期要因が発生しても、同期補正部が同期のずれを解消することで同期を保持するものが開示されている。再同期要因とは、一定期間送信がない場合や、同期情報の更新がない状態を言う。ずれを測る方法としては、ずれの測定用信号を作成し、それにより同期タイミングずれ量を算出する。その同期ずれの補正量を指示された同期補正部が補正する。
【先行技術文献】
【特許文献】
【０００６】
【特許文献１】特開平７−４６１５８号公報
【特許文献２】特開２００７−１１０７５９号公報
【特許文献３】特開２０１０−１１４７７号公報
【発明の概要】
【発明が解決しようとする課題】
【０００７】
このように、従来では、（１）送信側から受信側へ同期信号やずれ測定用データ系列を送信する方法、（２）ノード内部でＶＣＯ（電圧制御発信器）によりタイミングを調節して同期するという方法、もしくはそれらの組み合わせによりノード間で同期を保持している。しかしながら、従来、（Ｉ）必要でないタイミングであっても同期信号やずれ測定用データ系列が送信される、（ＩＩ）ずれ測定用データ系列を作成しなければならない、（ＩＩＩ）ＶＣＯはハードウェア回路であるため内部抵抗や電流・電圧値になどの個体差があり、それが起因となり誤差が発生しやすい、という点については考慮されていなかった。そのため、従来では、送信データの増大や、ずれ測定専用のデータ系列の作成が必須であったり、また、ハードウェア回路の個体差により誤差が発生し易い、という問題があった。
【０００８】
この発明は、上記のような問題を解決するためになされたもので、ノード間での同期保持において、同期信号に関する送信データ量を削減することができ、かつ、ハードウェア回路使用による再生クロックの誤差を抑制することのできる中継システムを得ることを目的とする。
【課題を解決するための手段】
【０００９】
この発明に係る監視制御装置の中継システムは、送信側から中継装置を介して送られる同期信号に基づいて受信側の送信タイミングを同期させる中継システムにおいて、受信側は、同期信号に基づく送信タイミングと、受信側の内部クロックに基づく送信タイミングとのずれ時間を計算し、ずれ時間に基づく補正を行ったスレーブ送信タイミング信号を送出すると共に、ずれ時間が前回と比べて変化した場合は、前回時刻と現在時刻との時間差を時間データとして出力する同期信号計算部と、同期信号計算部から送出されたスレーブ送信タイミング信号に基づいて、中継装置に対して受信側からのデータと時間データとを送信する送信部とを備え、中継装置は、受信側への同期信号の前回送信時刻からの経過時間が時間データ以上になった場合に同期信号の送信命令を出力する経過時間監視部と、最新の同期信号を保持し、経過時間監視部から送信命令を受けた場合は、最新の同期信号を出力する同期信号保持部と、同期信号保持部から同期信号が出力された場合は、同期信号を受信側に送出するデータ送信部とを備えたものである。
【発明の効果】
【００１０】
この発明の監視制御装置の中継システムは、受信側は、同期信号に基づいてスレーブ送信タイミング信号を補正すると共に、同期信号とのずれ時間を求め、ずれ時間が前回と比べて変化した場合は、前回時刻と現在時刻との時間差を時間データとして出力し、中継装置は、受信側への同期信号の前回送信時刻からの経過時間が時間データ以上になった場合は同期信号を受信側に出力するようにしたので、同期信号に関する送信データ量を削減することができると共に、ハードウェア回路使用による再生クロックの誤差を抑制することができる。
【図面の簡単な説明】
【００１１】
【図１】この発明の実施の形態１による中継システムを示す構成図である。
【図２】この発明の実施の形態１による中継システムの中継装置の構成と信号の流れを示す説明図である。
【図３】この発明の実施の形態１による中継システムの受信側の構成と信号の流れを示す説明図である。
【図４】この発明の実施の形態１による中継システムの受信側の動作を示すフローチャートである。
【図５】この発明の実施の形態１による中継システムの同期信号を受信している期間のスレーブ送信タイミング信号の作成を示す説明図である。
【図６】この発明の実施の形態１による中継システムの同期信号が途切れている期間のスレーブ送信タイミング信号の補正を示す説明図である。
【図７】この発明の実施の形態２による中継システムの中継装置の構成と信号の流れを示す説明図である。
【図８】この発明の実施の形態２による中継システムの受信側の構成と信号の流れを示す説明図である。
【発明を実施するための形態】
【００１２】
実施の形態１．
図１は、この発明の実施の形態１による中継システムを示す構成図である。
図１に示す中継システムは、送信側（マスタ）１００、中継装置２００、受信側（スレーブ）３００、ノード４００を備えている。送信側１００はマスタとなる装置であり、データと共に同期信号を送出する。受信側３００はスレーブとなる装置であり、送信側１００から送信された同期信号に基づいて自身の送信タイミングを決定する。また、中継装置２００は、送信側１００と受信側３００間のデータと同期信号を中継する装置である。ノード４００は、パーソナルコンピュータといった、受信側３００で受信したデータにより各種の処理を行う装置である。
【００１３】
中継装置２００は、受信データ解析部２０１、経過時間監視部２０２、同期信号保持部２０３、データ送信部２０４を備えている。図２は、中継装置２００における構成と各部の信号を示す説明図である。尚、図中、実線はデータの流れを、破線は同期信号の流れを示している。
受信データ解析部２０１は、送信側１００または受信側３００から受信したデータを解析する回路であり、送信側１００から受信したデータより同期信号を取り出すと共に、受信側３００から受信したデータより時間データを取り出す。経過時間監視部２０２は、前回同期信号を受信側３００へ送信した時刻から現在時刻までの経過時間を監視し、この経過時間が、受信データ解析部２０１から送られた時間データの値以上となった場合に同期信号保持部２０３に対して同期信号の送出を指示する。同期信号保持部２０３は、受信データ解析部２０１から送られた同期信号を保持するもので、最新の同期信号を保持するよう構成されている。データ送信部２０４は、送信側１００からのデータと同期信号を受信側３００に送信するものである。
【００１４】
受信側３００は、受信部３０１、同期信号計算部３０２、記憶部３０３、送信部３０４を備えている。図３は、受信側３００における構成と各部の信号を示す説明図である。
受信部３０１は、中継装置２００からデータと同期信号とを受信するインタフェースである。同期信号計算部３０２は、内部クロックや、その内部クロックの分周した信号を用い、受信部３０１で受信した同期信号に基づいて、同期信号とのずれ時間や時間データの計算を行い、補正したスレーブ送信タイミング信号と時間データとを送信部３０４に送出する。ここで、スレーブ送信タイミング信号とは、受信側３００自身の送信タイミングである同期信号のことである。また、ずれ時間とは、後述する図５に示すように、受信側３００が受信した同期信号と、スレーブ送信タイミング信号がずれている時間である。同期信号とスレーブ送信タイミング信号を、受信側３００の内部クロックの周波数でサンプリングし、２つの値が異なれば、カウント値で内部クロックの周期を割ることでずれ時間を求めることができる。
ずれ時間＝1／（スレーブ送信タイミング信号カウント値＊内部クロックの周波数）
時間データとは、ずれ時間が変化する時間である。最新のずれ時間と前回のずれ時間が異なれば、最新のずれ時間を計算した時刻と、一つ前にずれ時間が変化した時刻の差を計算することで、ずれ時間が変化する時間（時間データ）が分かる。
【００１５】
記憶部３０３は、同期信号計算部３０２で計算された時間データ、ずれ時間、ずれ時間に関する時刻、スレーブ送信タイミング信号カウント値を保持するための記憶部である。送信部３０４は、同期信号計算部３０２で計算されたスレーブ送信タイミング信号に基づいてノード４００からのデータと時間データとを送信する機能部である。
尚、図１〜図３の構成は、送信側１００から受信側３００へのデータ送信と、受信側３００から中継装置２００へのデータ送信を示しており、中継装置２００から送信側１００へのデータ送信に関する構成は省略している。また、図２に示す受信側３００−１と受信側３００−２とは同様の構成であるため、図１及び図３では、単に受信側３００として図示している。
【００１６】
次に、実施の形態１の中継システムの動作について説明する。
＜受信側３００への送信データがある場合＞
受信側３００へ送信データがある場合、先ず、送信側１００からデータと同期信号が中継装置２００へ送られると、中継装置２００の受信データ解析部２０１で、受信したデータの宛先を解析し、データ送信部２０４に受信したデータと同期信号を送る。それと同時に、経過時間監視部２０２に受信データ解析部２０１で解析した宛先の受信側３００に同期信号を送信したことを通知し、経過時間監視部２０２がその送信した時刻を記憶する。次に、データ送信部２０４は、受信した送信データと同期信号を所望の受信側３００へ送信する。
【００１７】
受信側３００では、中継装置２００からのデータと同期信号を受信部３０１で受信し、通信データをＰＣなどのノード４００に送る。一方、受信した同期信号は、同期信号計算部３０２に送信される。
図４は、受信側３００の動作を示すフローチャートである。ステップＳＴ１，ＳＴ２で同期信号とデータとが受信されると、データはノード４００に送信される（ステップＳＴ３）。同期信号計算部３０２では、スレーブ送信タイミング信号が同期信号と同じになるように補正を行い、最新のずれ時間を計算する（ステップＳＴ４）。このスレーブ送信タイミング信号の補正とずれ時間の計算の詳細については後述する。最新のずれ時間を前回のずれ時間（ただし、初期値は０とする）と比較し（ステップＳＴ５）、変化があれば「一つ前にずれ時間が変化した時刻（ただし、初期値は０とする）」を記憶部３０３から呼び出し、現在時刻との差分をとり、最新の時間データを計算する（ステップＳＴ６）。次に、最新の時間データと前回の時間データ（ただし、初期値は０とする）を比較し（ステップＳＴ７）、変化があれば最新の時間データを時間データとする（ステップＳＴ８）。最新の同期信号を基に、中継装置２００へ時間データを送信し（ステップＳＴ９）、また所望のマスタやスレーブへ応答データを送信する。記憶部３０３で、時間データとずれ時間、ずれ時間に関する時刻を更新する（ステップＳＴ１０）。尚、ステップＳＴ５において、ずれ時間の値が前回と変化なしであった場合はそのままステップ１に移行し、ステップＳＴ７で時間データの変化がなかった場合は、ステップＳＴ１０に移行して、ずれ時間に関する時刻を更新する。
【００１８】
中継装置２００では、受信データ解析部２０１が受信側３００から受信した時間データを経過時間監視部２０２に送り、経過時間監視部２０２は時間データを記憶する。
【００１９】
＜受信側３００への送信データがなく、経過時間が時間データ以上になった場合＞
中継装置２００の経過時間監視部２０２が、経過時間を監視しており、経過時間が時間データ以上となった場合、中継装置２００自身の送信タイミングを作成している同期信号保持部２０３で保持している同期信号を受信側３００へ送信する。経過時間監視部２０２は、ある受信側３００の経過時間が時間データ以上になった場合、同期信号保持部２０３に該当の受信側３００へ同期信号を送信するように命令を出す。その命令を受け取った同期信号保持部２０３は自身が保持している同期信号をデータ送信部２０４へ送り、データ送信部２０４は該当の宛先の受信側３００へ同期信号のみを送信する。
【００２０】
受信側３００では、中継装置２００から送られた同期信号を受信部３０１で受信し（ステップＳＴ１）、受信した同期信号は、同期信号計算部３０２に送信される。同期信号計算部３０２では、スレーブ送信タイミング信号が同期信号と同じになるように補正を行い、最新のずれ時間を計算する（ステップＳＴ４）。このスレーブ送信タイミング信号の補正とずれ時間の計算については後述する。最新のずれ時間を前回のずれ時間と比較し（ステップＳＴ５）、変化があれば「一つ前にずれ時間が変化した時刻」を記憶部２０２から呼び出し、現在時刻との差分をとり最新の時間データを計算する（ステップＳＴ６）。最新の時間データと前回の時間データを比較し（ステップＳＴ７）、変化があれば最新の時間データを時間データとする（ステップＳＴ８）。最新の同期信号を基に、中継装置２００へ時間データを送信する（ステップＳＴ９）。更に、ステップＳＴ５及びＳＴ７で前回から変化があった場合は、記憶部３０３で時間データとずれ時間、ずれ時間に関する時刻を更新する（ステップＳＴ１０）。
【００２１】
中継装置２００では、受信データ解析部２０１が受信した時間データを経過時間監視部２０２に送り、経過時間監視部２０２は時間データを記憶する。
【００２２】
＜スレーブ送信タイミング信号の補正とずれ時間の計算＞
＜同期信号を受信している期間＞
本システムの特徴であるスレーブ送信タイミング信号の補正とずれ時間の計算の詳細な動作を以下に説明する。
図５は、受信側３００の同期信号計算部３０２で、同期信号とスレーブ送信タイミング信号を合わせるタイミングを示す説明図である。先ず、内部クロックを分周し、同期信号とほぼ同じ周波数の信号を生成する。次に、同期信号の立ち上がりを機に、スレーブ送信タイミング信号カウント値のカウントを開始する（図中、Ａで示す）。内部クロックの立ち上がりのタイミングで、同期信号とスレーブ送信タイミング信号の値が異なれば、スレーブ送信タイミング信号を反転させる（図中、Ｂで示す）。また、同時にずれ時間の計算を行う。スレーブ送信タイミング信号が反転したら、スレーブ送信タイミング信号カウント値を記憶し、カウントを再び０からスタートさせる。同期信号が続けてある場合、以上で説明したようにスレーブ送信タイミング信号を反転させることで同期信号と同じ信号を作成する。また、同期信号が途切れた場合でも、スレーブ送信タイミング信号カウント値はカウントを続ける。
【００２３】
＜同期信号が途切れている期間＞
図６は、同期信号が途切れている期間にスレーブ送信タイミング信号を補正するタイミングを示している。同期信号を受信している期間と同様に、内部クロックが同期信号とほぼ同じ周波数の信号を生成する。「ずれ時間×スレーブ送信タイミング信号カウント値」が内部クロックの周期以上になる一つ手前のスレーブ送信タイミング信号カウント値で、スレーブ送信タイミング信号を反転させる。図示例では、スレーブ送信タイミング信号カウント値が３になれば反転し、１からカウントを再開する（図中、Ｃで示す）。同時に、スレーブ送信タイミング信号カウント値のカウントを０からリスタートさせる。同期信号を受信すれば、同期信号を受信している期間で記したように同期信号の立ち上がりを機にカウントをリスタートさせる。
【００２４】
このように、実施の形態１では、電圧で制御するＶＣＯなどを利用することなくスレーブ送信タイミング信号を作成することにより、ハードウェアの個体差による誤差を軽減することができる。また、スレーブ送信タイミング信号の補正は可能な限り受信側３００内部で行っており、中継装置から受信側３００への同期信号の送信が最小限に抑えられているため、送信データ量が削減されている。さらに、同期のずれを測定するための専用データを使用しておらず、同期信号をそのまま送信すればよいので、中継装置への負荷を小さくすることができる。
【００２５】
以上のように、実施の形態１の中継システムによれば、送信側から中継装置を介して送られる同期信号に基づいて受信側の送信タイミングを同期させる中継システムにおいて、受信側は、同期信号に基づく送信タイミングと、受信側の内部クロックに基づく送信タイミングとのずれ時間を計算し、ずれ時間に基づく補正を行ったスレーブ送信タイミング信号を送出すると共に、ずれ時間が前回と比べて変化した場合は、前回時刻と現在時刻との時間差を時間データとして出力する同期信号計算部と、同期信号計算部から送出されたスレーブ送信タイミング信号に基づいて、中継装置に対して受信側からのデータと時間データとを送信する送信部とを備え、中継装置は、受信側への同期信号の前回送信時刻からの経過時間が時間データ以上になった場合に同期信号の送信命令を出力する経過時間監視部と、最新の同期信号を保持し、経過時間監視部から送信命令を受けた場合は、最新の同期信号を出力する同期信号保持部と、同期信号保持部から同期信号が出力された場合は、同期信号を受信側に送出するデータ送信部とを備えたので、同期信号に関する送信データ量を削減することができると共に、ハードウェア回路使用による再生クロックの誤差を抑制することができる。
【００２６】
また、実施の形態１の中継システムによれば、同期信号計算部は、スレーブ送信タイミング信号の補正を、スレーブ送信タイミング信号の値を反転させることで行うようにしたので、簡単で確実な補正を行うことができる。
【００２７】
また、実施の形態１の中継システムによれば、受信側は、同期信号を受信しない場合、前回受信した同期信号に基づくずれ時間と、前回補正してからのスレーブ送信タイミング信号のカウント値とに基づいて、その反転タイミングを計算するようにしたので、受信側へ送信するデータがないときでも、受信側を同期させることができる。
【００２８】
実施の形態２．
上記の実施の形態１は、送信信号の周波数に関係なく同期を保持するシステムであるが、実施の形態２では、ＰＬＣ（電力線通信）のように、通信用の信号（データ、同期信号）と電力を分けて取り扱わなければならない場合に、各周波数に分ける機構を持つ例を示すものである。
【００２９】
図７は、このような場合の、データ・同期信号・電力の流れを示す中継装置２００ａの構成図である。尚、図中、実線がデータ、破線が同期信号、点線が電力の流れを示している。
中継装置２００ａは、実施の形態１の中継装置２００の構成に、ＨＰＦ（ハイパスフィルタ）２０５ａ〜２０５ｃとＬＰＦ（ローパスフィルタ）２０６ａ〜２０６ｃを加えた構成になっている。図７において、ＨＰＦ２０５ａ〜２０５ｃは、入力信号（データ、同期信号、電力）から高周波成分である通信用の信号（データ、同期信号）を出力する回路、ＬＰＦ２０６ａ〜２０６ｃは入力信号（データ、同期信号、電力）から低周波成分である電力のみを出力する回路である。それ以外の構成については、実施の形態１と同様であるため、対応する部分に同一符号を付してその説明を省略する。
【００３０】
図８は、実施の形態２における、データ・同期信号・電力の流れを示す受信側３００ａの構成図である。図において、受信側３００ａは、受信部３０１ａ、送信部３０４ａ、同期信号計算部３０２、記憶部３０３で構成されている。実施の形態２の受信側３００ａでは、受信部３０１ａおよび送信部３０４ａの内部に中継装置２００ａと同様、ＨＰＦとＬＰＦ（図示せず）が接続されている。その他の構成については、実施の形態１における受信側３００の構成と同様であるため、対応する部分に同一符号を付してその説明を省略する。また、実施の形態２においても、図７に示す受信側３００ａ−１と受信側３００ａ−２とは同様の構成であるため、図８では、単に受信側３００ａとして図示している。
【００３１】
次に、実施の形態２の中継システムの動作について説明する。
実施の形態２では、実施の形態１の構成にＨＰＦとＬＰＦが追加された構成となっているが、スレーブ送信タイミング信号の作成方法は実施の形態１と同様であるため、その部分の動作説明は省略する。
送信側１００から、通信用の信号（データ、同期信号）と電力が送信されると、先ず中継装置２００ａのＨＰＦ２０５ａ、ＬＰＦ２０６ａに入力される。ＨＰＦ２０５ａは、入力された信号のうち、高周波成分である通信用の信号を出力する。その通信用の信号は、受信データ解析部２０１に送られ、実施の形態１と同様に処理される。ただし、データ送信部２０４の各出力にもＨＰＦ２０５ｂ，２０５ｃが接続されているため、電力がデータ送信部２０４に進入しないようになっている。一方、ＬＰＦ２０６ａは、入力された信号のうち、低周波成分である電力を出力する。この電力は、中継装置２００ａの動力源として使用され、また、受信側３００ａに送信される。
【００３２】
受信側３００ａは、受信したデータ・同期信号・電力を、中継装置２００ａと同様にＨＰＦとＬＰＦが内蔵された受信部３０１ａで通信用の信号と電力に分ける。分けられた通信用の信号は、実施の形態１と同様に取り扱われ、一方の電力は、受信側３００ａの動力源として使用される。更に、送信部３０４ａにもＨＰＦとＬＰＦが内蔵されており、受信側３００ａの内部で通信用の信号と電力が分けられるようになっている。
【００３３】
このように、ＰＬＣにおいても、実施の形態１と同様に同期信号とスレーブ送信タイミング信号の誤差がないようにすることができる。そのことにより、ＰＬＣにおいて、同期信号とスレーブ送信タイミング信号とのずれにより生じるデータ衝突の発生を回避することができる。更に、通信線である電力線上の同期に関するデータ量を削減することができる。
【００３４】
以上のように、実施の形態２の中継システムによれば、中継装置は、受信側との入出力部に周波数フィルタを有すると共に、受信側は、中継装置との入出力部に周波数フィルタを有し、中継装置と受信側とのデータと同期信号の送受信を、周波数フィルタを介して行うようにしたので、一本の伝送路で周波数の異なる信号を送受信するようなシステムに対しても実施の形態１の中継システムと同様に適用することができる。
【００３５】
また、実施の形態２の中継システムによれば、周波数フィルタは、ハイパスフィルタとローパスフィルタで構成され、高周波の信号と低周波の電力を分離して中継装置と受信側間で送受信を行うようにしたので、電力線通信のように、通信用の信号（データ、同期信号）と電力を分けて取り扱わなければならないようなシステムに適用することができる。
【符号の説明】
【００３６】
１００  送信側（マスタ）、２００，２００ａ  中継装置、２０１  受信データ解析部、２０２  経過時間監視部、２０３  同期信号保持部、２０４  データ送信部、２０５ａ〜２０５ｃ  ＨＰＦ、２０６ａ〜２０６ｃ  ＬＰＦ、３００，３００ａ  受信側（スレーブ）、３０１，３０１ａ  受信部、３０２  同期信号計算部、３０３  記憶部、３０４，３０４ａ  送信部、４００  ノード。
【図１】
0005430501.tif 000002
【図２】
0005430501.tif 000003
【図３】
0005430501.tif 000004
【図４】
0005430501.tif 000005
【図５】
0005430501.tif 000006
【図６】
0005430501.tif 000007
【図７】
0005430501.tif 000008
【図８】
0005430501.tif 000009